(57)【要約】【課題】できるだけ利用者の操作の利便性を向上させること。【解決手段】１つの態様において、電子機器（例えば、スマートフォン１）は、第１の画像が表示されている第１の領域と、第１の画像及び第２の画像が重畳表示されている第２の領域とを有するタッチスクリーンディスプレイと、前記第１の領域で受け付けたタッチ操作が前記第２の領域に近づいた場合に、前記第２の画像を透過させて前記第１の画像を表示するコントローラとを有する。電子機器（例えば、スマートフォン１）は、タッチスクリーンディスプレイ上に、第１の画像と第２の画像とが重畳表示された第２の領域がある場合であっても、利用者の操作上の煩わしさを低減することができ、その結果、できるだけ利用者の操作の利便性を向上させることができる。【選択図】図１
2015103989.tif 000002
【特許請求の範囲】
【請求項１】
第１の画像が表示されている第１の領域と、前記第１の画像及び第２の画像が重畳表示されている第２の領域とを含むタッチスクリーンディスプレイと、
前記タッチスクリーンを介して前記第１の領域で受け付けたタッチ操作が前記第２の領域に近づいた場合に、前記第２の画像を透過させて前記第１の画像を表示するコントローラと
を有する電子機器。
【請求項２】
第１の画像が表示されている第１の領域と、前記第１の画像及び第２の画像が重畳表示されている第２の領域とを含むタッチスクリーンディスプレイを有する電子機器によって実行される制御方法であって、
前記タッチスクリーンを介して前記第１の領域に対するタッチ操作を受け付けるステップと、
前記タッチ操作が前記第２の領域に近づいた場合に、前記第２の画像を透過させて前記第１の画像を表示するステップと
を含む制御方法。
【請求項３】
第１の画像が表示されている第１の領域と、前記第１の画像及び第２の画像が重畳表示されている第２の領域とを含むタッチスクリーンディスプレイを有する電子機器に、
前記タッチスクリーンを介して前記第１の領域に対するタッチ操作を受け付けるステップと、
前記タッチ操作が前記第２の領域に近づいた場合に、前記第２の画像を透過させて前記第１の画像を表示するステップと
を実行させる制御プログラム。
【発明の詳細な説明】
【技術分野】
【０００１】
本出願は、電子機器、制御方法、及び制御プログラムに関する。
【背景技術】
【０００２】
タッチスクリーンを備えるタッチスクリーンデバイスが知られている。タッチスクリーンデバイスは、例えば、携帯電話、スマートフォン及びタブレットなどの電子機器を含むが、これらに限定されない。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、及びＷｉｎｄｏｗｓ（登録商標）  Ｐｈｏｎｅを含むが、これらに限定されない。
【０００４】
近年、上記電子機器の中には、表示領域の縦横比を従来製品とは異なる寸法に変更するものが普及しはじめている。
【先行技術文献】
【特許文献】
【０００５】
【特許文献１】国際公開第２００８／０８６３０２号
【発明の概要】
【発明が解決しようとする課題】
【０００６】
表示領域の縦横比を変更するなどの製品開発の動向に応じて、できるだけ利用者の操作の利便性を向上させる必要性がある。
【課題を解決するための手段】
【０００７】
１つの態様に係る電子機器は、第１の画像が表示されている第１の領域と、前記第１の画像及び第２の画像が重畳表示されている第２の領域とを含むタッチスクリーンディスプレイと、前記タッチスクリーンを介して前記第１の領域で受け付けたタッチ操作が前記第２の領域に近づいた場合に、前記第２の画像を透過させて前記第１の画像を表示するコントローラとを有する。
【０００８】
１つの態様に係る制御方法は、第１の画像が表示されている第１の領域と、前記第１の画像及び第２の画像が重畳表示されている第２の領域とを含むタッチスクリーンディスプレイを有する電子機器によって実行される制御方法であって、前記タッチスクリーンを介して前記第１の領域に対するタッチ操作を受け付けるステップと、前記タッチ操作が前記第２の領域に近づいた場合に、前記第２の画像を透過させて前記第１の画像を表示するステップとを含む。
【０００９】
１つの態様に係る制御プログラムは、第１の画像が表示されている第１の領域と、前記第１の画像及び第２の画像が重畳表示されている第２の領域とを含むタッチスクリーンディスプレイを有する電子機器に、前記タッチスクリーンを介して前記第１の領域に対するタッチ操作を受け付けるステップと、前記タッチ操作が前記第２の領域に近づいた場合に、前記第２の画像を透過させて前記第１の画像を表示するステップとを実行させる。
【図面の簡単な説明】
【００１０】
【図１】図１は、本実施形態に係るスマートフォンの機能構成を示すブロック図である。
【図２】図２は、本実施形態に係るスマートフォンの制御の一例を示す図である。
【図３】図３は、第１の画像の一例を示す図である。
【図４】図４は、本実施形態に係るスマートフォンによる処理の流れを示すフローチャートである。
【図５】図５は、スマートフォンにより実行される制御の他の例を示す図である。
【発明を実施するための形態】
【００１１】
本発明を実施するための実施形態を、図面を参照しつつ詳細に説明する。以下では、本発明に係る電子機器の一例として、スマートフォンについて説明する。
【００１２】
（実施形態）
本実施形態に係るスマートフォン１の機能構成の一例を説明する。図１は、本実施形態に係るスマートフォンの機能構成を示すブロック図である。以下の説明においては、同様の構成要素に同一の符号を付すことがある。さらに、重複する説明は省略することがある。
【００１３】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、姿勢検出ユニット１５と、バイブレータ１８とを備える。
【００１４】
タッチスクリーンディスプレイ２は、ディスプレイ２Ａと、タッチスクリーン２Ｂとを有する。ディスプレイ２Ａ及びタッチスクリーン２Ｂは、例えば、重ねて配置されてもよいし、並べて配置されてもよいし、離して配置されてもよい。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１５】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。ディスプレイ２Ａが表示する文字、画像、記号、及び図形等を含む画面には、ロック画面と呼ばれる画面、ホーム画面と呼ばれる画面、アプリケーションの実行中に表示されるアプリケーション画面が含まれる。ホーム画面は、デスクトップ、待受画面、アイドル画面、標準画面、アプリ一覧画面又はランチャー画面と呼ばれることもある。
【００１６】
本実施形態において、ディスプレイ２Ａには、ホーム画面などの画像が表示されるとともに、ホーム画面などの画像と各種アプリケーションに対応する画像が重畳表示される。以下の説明において、ホーム画面などの画像を第１の画像と表記し、第１の画像が表示されるディスプレイ２Ａ（タッチスクリーンディスプレイ２）における領域を第１の領域を表記し、各種アプリケーションに対応する画像を第２の画像と表記し、第１の画像と第２の画像とが重畳表示されるディスプレイ２Ａ（タッチスクリーンディスプレイ２）における領域を第２の領域と表記する。
【００１７】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等（以下、単に「指」という）がタッチスクリーン２Ｂに接触した位置を検出することができる。タッチスクリーン２Ｂは、タッチスクリーン２Ｂ（タッチスクリーンディスプレイ２）に対する指の接触を、接触された場所のタッチスクリーンディスプレイ２上での位置とともに、コントローラ１０に通知する。実施形態１において、タッチスクリーン２Ｂは、ディスプレイ２Ａに表示される文字入力画面に対する指の接触、及び文字入力画面上での位置を、コントローラ１０に通知する。
【００１８】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１９】
コントローラ１０（スマートフォン１）は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。ジェスチャは、指を用いて、タッチスクリーン２Ｂ（タッチスクリーンディスプレイ２）に対して行われる操作である。コントローラ１０（スマートフォン１）が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００２０】
ボタン３は、利用者からの操作入力を受け付ける。ボタン３の数は、単数であっても、複数であってもよい。
【００２１】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。
【００２２】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａが顔に近づけられたことを検出する。照度センサ４及び近接センサ５は、１つのセンサとして構成されていてもよい。照度センサ４は、近接センサとして用いられてもよい。
【００２３】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット６は、上述した通信規格の１つ又は複数をサポートしていてもよい。
【００２４】
通信ユニット６は、ＧＰＳ衛星からの所定の周波数帯の電波信号を受信し、受信した電波信号の復調処理を行って、処理後の信号をコントローラ１０に送出する。スマートフォン１は、ＧＰＳ衛星との通信機能を通信ユニット６から分散させて、通信ユニット６から独立した個別の通信部を設けてもよい。
【００２５】
レシーバ７は、音出力部である。レシーバ７は、コントローラ１０から送信される音信号を音として出力する。レシーバ７は、例えば、通話時に相手の声を出力するために用いられる。マイク８は、音入力部である。マイク８は、利用者の音声等を音信号へ変換してコントローラ１０へ送信する。
【００２６】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２７】
ストレージ９に記憶されるプログラムには、フォアグランド又はバックグランドで実行されるアプリケーションと、アプリケーションの動作を支援する制御プログラムとが含まれる。フォアグランドで実行されるアプリケーションは、例えば、ディスプレイ２Ａに画面が表示される。制御プログラムには、例えば、ＯＳが含まれる。アプリケーション及び制御プログラムは、通信ユニット６による無線通信又は非一過的な記憶媒体を介してストレージ９にインストールされてもよい。
【００２８】
ストレージ９は、制御プログラム９Ａ、通話アプリケーション９Ｂ、メールアプリケーション９Ｃ、ブラウザアプリケーション９Ｄ、カメラアプリケーション９Ｅ、音声入力アプリケーション９Ｆ、ソフトウェアキーアプリケーション９Ｇ、設定データ９Ｚなどを記憶する。
【００２９】
制御プログラム９Ａは、スマートフォン１を稼働させるための各種制御に関する機能を提供する。例えば、制御プログラム９Ａは、タッチスクリーン２Ｂを介して第１の領域で受け付けたタッチ操作が第２の領域に近づいた場合に、第２の画像を透過させて第１の画像を表示するための機能を提供する。
【００３０】
その他、制御プログラム９Ａは、通信ユニット６などを制御することによって、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）などを用いた通信を実現させるための機能、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等を用いた近距離無線通信を実現させるための機能、並びに、通信ユニット６及びマイク８などを制御することによって、通話を実現させるための機能を提供する。
【００３１】
制御プログラム９Ａにより提供される機能は、通話を実現させる場合、通話アプリケーション９Ｂ又はメールアプリケーション９Ｃなど、ストレージ９に記憶される他のプログラムなどが提供する機能と組み合わせて利用されることがある。制御プログラム９Ａにより提供される機能は、複数のプログラムモジュールに分割されていてもよいし、他のプログラムと結合されていてもよい。
【００３２】
通話アプリケーション９Ｂは、無線通信による通話のための通話機能を提供する。メールアプリケーション９Ｃは、電子メールの作成、送信、受信、及び表示等のための電子メール機能を提供する。ブラウザアプリケーション９Ｄは、ＷＥＢページを表示するためのＷＥＢブラウジング機能を提供する。カメラアプリケーション９Ｅは、画像および動画像の撮影、編集および管理などを行うための機能を提供する。音声入力アプリケーション９Ｆは、マイクにより入力される音声を認識し、認識結果に基づいて処理を実行するための機能を提供する。ソフトウェアキーアプリケーション９Ｇは、ソウトウェアキーをディスプレイ２Ａに表示させて、ソフトウェアキーを介して文字入力を受け付けるための機能を提供する。設定データ９Ｚは、スマートフォン１の動作に関する各種の設定に関する情報を含む。本実施形態において、設定データ９Ｚは、例えば、ホーム画面に表示させる画像に対応するアプリケーションの設定などを記憶する。ストレージ９に記憶されるアプリケーションは一例に過ぎない。図１に示すもの以外に、カレンダーアプリケーション、メモアプリケーション、ナビゲートアプリケーション、音楽プレイヤーアプリケーション、動画再生アプリケーション、計算機アプリケーション、付箋アプリケーションなどが記憶されていてもよい。
【００３３】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００３４】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、及び姿勢検出ユニット１５を含むが、これらに限定されない。
【００３５】
コントローラ１０は、例えば、制御プログラム９Ａを実行することにより、タッチスクリーン２Ｂを介して第１の領域で受け付けたタッチ操作が第２の領域に近づいた場合に、第２の画像を透過させて第１の画像を表示する処理を実行する。
【００３６】
スピーカ１１は、音出力部である。スピーカ１１は、コントローラ１０から送信される音信号を音として出力する。スピーカ１１は、例えば、着信音及び音楽を出力するために用いられる。レシーバ７及びスピーカ１１の一方が、他方の機能を兼ねてもよい。
【００３７】
カメラ１２は、撮影した画像を電気信号へ変換する。カメラ１２には、例えば、ディスプレイ２Ａに面している物体を撮影するインカメラ、ディスプレイ２Ａの反対側の面に面している物体を撮影するアウトカメラが含まれる。
【００３８】
姿勢検出ユニット１５は、スマートフォン１の姿勢を検出する。姿勢検出ユニット１５は、姿勢を検出するために、加速度センサ、方位センサ、及びジャイロスコープの少なくとも１つを備える。姿勢検出ユニット１５は、例えば、加速度センサ、方位センサ、及びジャイロスコープなどの検出結果に基づいて、例えば、スマートフォン１の姿勢を検出する。
【００３９】
バイブレータ１８は、スマートフォン１の一部又は全体を振動させる。バイブレータ１８は、振動を発生させるために、例えば、圧電素子、又は偏心モータなどを有する。バイブレータ１８による振動は、着信等の各種のイベントを利用者に報知するために用いられる。
【００４０】
続いて、図２を用いて、本実施形態に係るスマートフォン１により実行される制御の一例について説明する。図２は、本実施形態に係るスマートフォン１の制御の一例を示す図である。
【００４１】
図２に示すように、スマートフォン１は、第１の画像Ｇ１と、第１の画像Ｇ１に重畳表示される第２の画像Ｇ２を含むホーム画面をタッチスクリーンディスプレイ２に表示させる（ステップＳ１１）。図３は、第１の画像の一例を示す図である。図３に示すように、第１の画像Ｇ１は、ホーム画面用に設定される壁紙の画像と、ホーム画面に配置設定される複数のアイコンの画像とで構成される。第２の画像は、例えば、音声入力アプリケーション９Ｆに対応するウィジェットの画像で構成される。
【００４２】
続いて、スマートフォン１は、タッチスクリーン２Ｂを介して、第１の画像Ｇ１が表示されるタッチスクリーンディスプレイ２上の第１の領域Ａ１に対するタッチ操作を検出すると、検出したタッチ操作が、第１の画像Ｇ１と第２の画像Ｇ２とが重畳表示される第２の領域Ａ２に接近したかを判定する（ステップＳ１２）。タッチ操作は、例えば、ロングタッチ、ドラッグなど、タッチスクリーンディスプレイ２から指が離れることのないタッチジェスチャに対応する。
【００４３】
スマートフォン１は、判定の結果、タッチ操作が第２の領域Ａ２に接近した場合には、第２の画像Ｇ２を透過させて、第１の画像Ｇ１を第２の領域Ａ２に表示させる（ステップＳ１３）。図２に示す例では、第２の画像Ｇ２が透過されることにより、第２の画像Ｇ２を通して、ホーム画面の画像及びホーム画面に配置されているアイコンの画像が視認可能な状態で表示される。
【００４４】
スマートフォン１は、リリースが検出された場合には、再び、ステップＳ１１に示すホーム画面の表示に戻る。
【００４５】
図４を用いて、本実施形態に係るスマートフォン１による処理の流れを説明する。図４は、本実施形態に係るスマートフォン１による処理の流れを示すフローチャートである。図４に示す処理は、コントローラ１０が、ストレージ９に記憶されている制御プログラム９Ａなどを実行することにより実現される。
【００４６】
図４に示すように、コントローラ１０は、第１の画像Ｇ１及び第１の画像Ｇ１に重畳される第２の画像Ｇ２を含むホーム画面をタッチスクリーンディスプレイ２に表示する（ステップＳ１０１）。
【００４７】
続いて、コントローラ１０は、第１の画像Ｇ１を表示するタッチスクリーンディスプレイ上の第１の領域Ａ１にタッチ操作が検出されたかを判定する（ステップＳ１０２）。
【００４８】
コントローラ１０は、判定の結果、第１の領域Ａ１にタッチ操作が検出された場合には（ステップＳ１０２，Ｙｅｓ）、続いて、検出されたタッチ操作がタッチスクリーンディスプレイ２上の第２の領域Ａ２に接近したかを判定する（ステップＳ１０３）。
【００４９】
コントローラ１０は、判定の結果、タッチ操作が第２の領域Ａ２に接近した場合には（ステップＳ１０３，Ｙｅｓ）、第２の領域Ａ２において第２の領域Ａ２に表示される第２の画像Ｇ２を透過させることにより第１の画像Ｇ１を表示する（ステップＳ１０４）。
【００５０】
続いて、コントローラ１０は、タッチ操作が終了したか（リリースが検出されたか）を判定する（ステップＳ１０５）。
【００５１】
コントローラ１０は、判定の結果、タッチ操作が終了した場合には（ステップＳ１０５，Ｙｅｓ）、ステップＳ１０１と同じホーム画面をタッチスクリーンディスプレイ２に再表示して（ステップＳ１０６）、図４に示す処理を終了する。すなわち、コントローラ１０は、第１の画像Ｇ１に重畳表示された第２画像Ｇ２を透過させていないホーム画面の表示に戻す。
【００５２】
上記ステップＳ１０３において、コントローラ１０は、判定の結果、タッチ操作が第２の領域Ａ２に接近しない場合には（ステップＳ１０３，Ｎｏ）、続いて、タッチ操作が終了したか（リリースが検出されたか）を判定する（ステップＳ１０７）。
【００５３】
コントローラ１０は、判定の結果、タッチ操作が終了した場合には（ステップＳ１０７，Ｙｅｓ）、図４に示す処理を終了する。これとは反対に、コントローラ１０は、判定の結果、タッチ操作が終了していない場合には（ステップＳ１０７，Ｎｏ）、上記ステップＳ１０３の処理手順に戻る。
【００５４】
上記ステップＳ１０２において、コントローラ１０は、判定の結果、第１の領域Ａ１にタッチ操作が検出されない場合には（ステップＳ１０２，Ｎｏ）、図４に示す処理を終了する。
【００５５】
（その他の実施形態）
図５を用いて、スマートフォン１により実行される制御の他の例について説明する。図５は、スマートフォン１により実行される制御の他の例を示す図である。
【００５６】
図５に示すように、スマートフォン１は、オブジェクトＱ１と、第１の画像Ｇ３と、第１の画像Ｇ３に重畳表示される第２の画像Ｇ４を含むホーム画面をタッチスクリーンディスプレイ２に表示させる（ステップＳ２１）。オブジェクトＱ１は、アプリケーションに対応するアイコンなどのオブジェクトである。第１の画像Ｇ３は、例えば、ホーム画面などに設定される壁紙である。第２の画像Ｇ４は、ソフトウェアキーアプリケーション９Ｇに対応する画像である。図５に示す例では、第１の画像Ｇ３に第２の画像Ｇ４が重畳されたホーム画面がタッチスクリーンディスプレイ２に表示されている。
【００５７】
続いて、スマートフォン１は、オブジェクトＱ１に対するタッチ及びドラッグを検出すると（ステップＳ２２及びステップＳ２３）、オブジェクトＱ１が、第１の画像Ｇ３及び第２の画像Ｇ４が重畳表示される第２の領域Ａ２に対して所定の距離まで接近したかを判定する。図５に示す例では、タッチ及びドラッグの操作が行われたオブジェクトＱ１は、第１の画像Ｇ３のみが表示される第１の領域Ａ１を移動している。
【００５８】
スマートフォン１は、判定の結果、オブジェクトＱ１が第２の領域Ａ２に対して所定の距離まで接近した場合には、第２の画像Ｇ４の透過を開始する（ステップＳ２４）。続いて、スマートフォン１は、オブジェクトＱ１と第２の領域Ａ２との距離が短くなるに従って、第２の画像を透過させる度合いを次第に強め、オブジェクトＱ１と第２の画像Ｇ４との接触を検出した段階で、第２の画像Ｇ４を完全に透過させて、第１の画像Ｇ３を表示する（ステップＳ２５）。図５に示す例では、透過させた第２の画像を通して、第１の画像Ｇ３上に配置されているゴミ箱のアイコンＱ２が表示される。
【００５９】
スマートフォン１は、オブジェクトＱ１と第１の画像Ｇ３上に配置されているゴミ箱のアイコンＱ２との接触を検出すると（ステップＳ２６）、オブジェクトＱ１をホーム画面上から削除し、リリースの検出に応じて、再び、透過されていない第２の画像Ｇ４が第１の画像Ｇ３に重畳表示されたホーム画面を表示する（ステップＳ２７）。
【００６０】
上記実施形態では、スマートフォン１は、タッチスクリーンディスプレイ２上に、第１の画像と第２の画像とが重畳表示された第２の領域がある場合に、利用者のタッチ操作の位置が第２の領域に接近すると、第２の画像を透過させて第１の画像を表示する。このため、上記実施形態によれば、タッチスクリーンディスプレイ２上に、第１の画像と第２の画像とが重畳表示された第２の領域がある場合であっても、利用者の操作上の煩わしさを低減することができ、その結果、できるだけ利用者の操作の利便性を向上させることができる。
【００６１】
上記の実施形態では、添付の請求項に係る装置の例として、スマートフォンについて説明したが、添付の請求項に係る装置は、スマートフォンに限定されない。添付の請求項に係る装置は、タッチスクリーン機能を備える携帯電話、タブレットなどの電子機器であれば、スマートフォン以外の装置であってもよい。
【００６２】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００６３】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  通話アプリケーション
９Ｃ  メールアプリケーション
９Ｄ  ブラウザアプリケーション
９Ｅ  カメラアプリケーション
９Ｆ  音声入力アプリケーション
９Ｇ  ソフトウェアキーアプリケーション
９Ｚ  設定データ
１０  コントローラ
１１  スピーカ
１２  カメラ
１５  姿勢検出ユニット
１８  バイブレータ
【図１】
2015103989.tif 000003
【図２】
2015103989.tif 000004
【図３】
2015103989.tif 000005
【図４】
2015103989.tif 000006
【図５】
2015103989.tif 000007